(57)【特許請求の範囲】
【請求項１】
複数の図柄を表示した図柄表示体が、球体形状の回転表示構造体の外面に設けられ、
前記回転表示構造体が回転駆動機構により回転し、
前記図柄を照明する複数の表示灯が、前記回転表示構造体の外部に配置された遊技回転表示装置において、
前記回転表示構造体は、当該回転表示構造体の中心部を貫通し、両端が回転表示構造体に形成される平坦部から外側に突出する表示軸と、
円錐形に形成された反射面を有し、前記回転表示構造体の内部において前記表示軸に取付けられる反射体と、
前記表示軸を回転しないように固定し、前記回転駆動機構に嵌め込まれる支持構造体と、
前記回転表示構造体を覆い、前記複数の表示灯が周方向に沿って取付けられる表示灯構造体とを備え、
前記回転表示構造体が、光を透過する性質の有る合成樹脂により形成され、
前記回転駆動機構による回転の中心を構成する表示軸の設けられる前記平坦部と図柄表示体との間の隙間が、前記表示灯から放出された照射光を回転表示構造体の外部から内部に導入する光導入部として構成され、
前記反射体の反射面が、前記光導入部から回転表示構造体の内部に導入された照射光を回転表示構造体に設けられた図柄表示体に向う反射光として反射することを特徴とする遊技回転表示装置。
【発明の詳細な説明】
【技術分野】
【０００１】
本発明は、回転表示構造体の照明が適正な遊技回転表示装置に関する。
【背景技術】
【０００２】
遊技回転表示装置には、次のような構造のものが知られている。それは、球体形状の回転表示構造体の外部に表示灯を設置し、表示灯が回転表示構造体の外部から回転表示構造体を照明する構造である。しかしながら、回転可能に支持する構造体が表示灯と回転表示構造体との間に配置されているため、表示灯から回転表示構造体に照明する光が回転可能に支持する構造体で遮られて影ができるという欠点がある。
【特許文献１】特開平８−１９１９３６号公報
【発明の開示】
【発明が解決しようとする課題】
【０００３】
発明が解決しようとする問題点は、回転表示構造体の照明が不適切であるという点である。
【課題を解決するための手段】
【０００４】
本発明に係る遊技回転表示装置は、複数の図柄を表示した図柄表示体が球体形状の回転表示構造体の外面に設けられ、回転表示構造体が回転駆動機構により回転し、図柄を照明する複数の表示灯が回転表示構造体の外部に配置された遊技回転表示装置において、回転表示構造体は、当該回転表示構造体の中心部を貫通し、両端が回転表示構造体に形成される平坦部から外側に突出する表示軸と、円錐形に形成された反射面を有し、回転表示構造体の内部において表示軸に取付けられる反射体と、表示軸を回転しないように固定し、回転駆動機構に嵌め込まれる支持構造体と、回転表示構造体を覆い、複数の表示灯が周方向に沿って取付けられる表示灯構造体とを備え、回転表示構造体が光を透過する性質の有る合成樹脂により形成され、回転表示構造体の回転駆動機構による回転の中心を構成する表示軸の設けられる平坦部と図柄表示体との間の隙間が表示灯から放出された照射光を回転表示構造体の外部から内部に導入する光導入部として構成され、反射体の反射面が光導入部から回転表示構造体の内部に導入された照射光を回転表示構造体に設けられた図柄表示体に向う反射光として反射することを最も主要な特徴とする。
【発明の効果】
【０００５】
本発明に係る遊技回転表示装置は、表示灯からの照明光が回転駆動機構の外部から光導入部を経由して内部に導入され、この回転表示構造体の内部に導入された照射光が反射体により図柄表示体に向う反射光として反射され、反射光が回転表示構造体を透過して図柄表示体における複数の図柄を回転表示構造体の内部から適切に照明することができるという利点がある。反射体が円錐形に構成されているので、反射体を角錐形に構成した場合よりも、図柄表示体を一様に照明するように、反射体を容易に形成することができるという利点もある。
【発明を実施するための最良の形態】
【０００６】
図１乃至図１３は発明を実施するための最良の形態である。図１のａ図は、遊技回転表示装置１を横方向に切断した断面を示す。図１のｂ図は、図１のａ図をＢ−Ｂ線に沿って切断した断面を示す。図２は、遊技回転表示装置１をパチンコ機の遊技盤１２０に取り付けた構造を表示軸１２と平行な方向の縦方向に切断した断面を示す。図３は、遊技回転表示装置１をパチンコ機の遊技盤１２０に取り付けた構造を表示軸１２と直行する方向の縦方向に切断した断面を示す。図４は、遊技回転表示装置１を分解して示す。図５は、回転表示構造体３を分解して示す。図６は、回転表示構造体３を組み立てる過程を示す。図７は、回転表示構造体３と図柄表示体６とを組み立てる初期の形態を示す。図８は、回転表示構造体３と図柄表示体６とを組み立てた終期の形態を示す。図９は、回転表示構造体３と遊星歯車１３とを分解して示す。図１０は、反射体９と表示軸１２とを分解して示す。図１１のａ図は、回転表示構造体３と支持構造体１４とを分解して示す。図１１のｂ図は、支持駒５３を内側から示す。図１２のａ図は、支持駒５３を腕部１６に挿入した形態を示す。図１２のｂ図は、支持駒５３を腕部１６に係合した形態を示す。図１３は、表示灯構造体７を分解して示す。本明細書において、「前」、「表」、「後」、「裏」、「左」、「右」、「上」、「下」の方向は、図２の状態に遊技回転表示装置１および遊技盤１２０を置いて矢印Ａで示す前側から見た場合に特定される方向である。「前」と「表」とは、同じ方向である。「後」と「裏」とは、同じ方向である。
【０００７】
図４を参照し、遊技回転表示装置１の構造について説明する。遊技回転表示装置１は、装置躯体２の前側に回転表示構造体３を自転駆動機構４および公転駆動機構５で回転表示構造体３を矢印Ｗ１で示す方向に自転および矢印Ｗ２で示す方向に公転させ、回転表示構造体３に設けられた図柄表示体６に表示された複数の図柄を可変表示する一方、表示灯構造体７の表示灯８から発射された光を回転表示構造体３の外側から内部に導入し、回転表示構造体３の内部に導入された光を反射体９で反射し、図柄表示体６における複数の図柄を回転表示構造体３の内部から照明する構造である。自転駆動機構４および公転駆動機構５は、回転表示構造体３を回転する回転駆動機構を構成する。装置躯体２は、自転駆動機構４、公転駆動機構５、表示体収容部１０、軸受孔部１１を備える。自転駆動機構４および公転駆動機構５については、図１で後述する。表示体収容部１０は、前方に円形に開口し、装置躯体２の前面から内部に円形に窪む凹部として構成される。軸受孔部１１は、表示体収容部１０における円形な底面の中心部に設けられる。
【０００８】
回転表示構造体３には、反射体９、表示軸１２、遊星歯車１３、支持構造体１４が設けられる。反射体９は、表示軸１２に固定される。反射体９を表示軸１２に取り付ける構造については、図１０で後述する。表示軸１２は、回転表示構造体３の中心部を貫通して回転表示構造体３に回転可能に嵌め込まれ、支持構造体１４に回転しないように固定される。遊星歯車１３は、回転表示構造体３から外側に突出した表示軸１２の一端部に回転可能に嵌め込まれ、回転表示構造体３に固定される。遊星歯車１３を回転表示構造体３に取り付ける構造については、図９で後述する。支持構造体１４は、支持基盤１５、腕部１６；１７、支持軸１８、太陽歯車１９、中間歯車２０を備える。支持基盤１５は、上方から下方に窪む半球形である。腕部１６；１７は、支持基盤１５の直径線上で相対峙し、支持基盤１５の円形な周壁から上方に突出する。腕部１６は、表示軸１２を回転しないように支持する。支持軸１８は、支持基盤１５における底部の中心部から裏側に円筒状に突出する。そして、回転表示構造体３が支持構造体１４に取り付けられ、支持軸１８が装置躯体２の前側から軸受孔部１１に回転可能に嵌め込まれることによって、腕部１６；１７で両支持された表示軸１２が表示体収容部１０の底面と平行に配置される。
【０００９】
太陽歯車１９は、支持基盤１５の前側に配置され、太陽軸２１を備える。太陽軸２１は、太陽歯車１９の中心部から裏側に突出し、支持基盤１５の前側から支持軸１８の内部孔に回転可能に嵌め込まれ、支持軸１８の裏側に貫通する。中間歯車２０は、支持基盤１５の前側に配置され、中間軸２２を備える。中間軸２２は、中間歯車２０の中心部から裏側に突出し、支持基盤１５のすり鉢状の周壁に回転可能に取り付けられる。遊星歯車１３、太陽歯車１９、中間歯車２０は、傘歯車により構成される。中間歯車２０の外周部に形成された歯部は、太陽歯車１９の外周部に形成された歯部および遊星歯車１３の外周部に形成された歯部に噛み合わされる。つまり、太陽歯車１９が回転することによって、中間歯車２０および遊星歯車１３が回転し、回転表示構造体３が表示軸１２の横方向に延びる中心線Ｌ１を中心として表示軸１２の矢印Ｗ１で示す周方向に自転する。また、支持構造体１４の支持軸１８が回転することによって、回転表示構造体３が支持構造体１４の支持軸１８の前後方向に延びる中心線Ｌ２を中心として矢印Ｗ２で示す周方向につまり表示体収容部１０の底面と平行な方向に公転する。
【００１０】
図５を参照し、回転表示構造体３の構造について説明する。回転表示構造体３は、光を透過する性質の有る合成樹脂からなる２つ１組の半球体２５；２６を備える。半球体２５は、平坦部２７、軸受孔部２８、歯車係合部２９、合わせ部３０を備える。平坦部２７は、半球体２５の中心部に、半球体２５の円形な開口部と平行で、中心線Ｌ１を中心とする円形に設けられる。軸受孔部２８は、平坦部２７の中心部に、中心線Ｌ１と平行な方向への貫通孔として設けられる。歯車係合部２９は、軸受孔部２８の周りに位置し、平坦部２７に、中心線Ｌ１と平行な方向への貫通孔として設けられる。合わせ部３０は、半球体２５の円形な開口部に、凹凸状に設けられる。半球体２６は、平坦部３１、軸受孔部３２、軸受収容部３３、合わせ部３４を備える。平坦部３１は、半球体２６の中心部に、半球体２６の円形な開口部と平行で、中心線Ｌ１を中心とする円形に設けられる。軸受孔部３２は、平坦部３１の中心部に設けられた孔として形成される。軸受収容部３３は、平坦部３１の中心部に設けられた孔として形成される。平坦部３１に対し、軸受孔部３２が内側に配置され、軸受収容部３３が外側に配置される。軸受孔部３２の直径は、軸受収容部３３の直径よりも小さい。軸受孔部３２および軸受収容部３３は、中心線Ｌ１を同軸とし、互いに貫通する。合わせ部３４は、半球体２６の円形な開口部に、凹凸状に設けられる。平坦部２７の中心線Ｌ１を中心とする直径Ｓ１と、平坦部３１の中心線Ｌ１を中心とする直径Ｓ２とは、同一寸法になっている。
【００１１】
図６を参照し、回転表示構造体３の組立方について説明する。半球体２５の合わせ部３０と半球体２６の合わせ部３４とが互いに向かい合わされ、反射体９の装着された表示軸１２が２つの半球体２５；２６の内部に配置される。そして、２つの半球体２５；２６が互いに近づけられ、表示軸１２の一端部が半球体２５の軸受孔部２８に挿入され、表示軸１２の他端部が半球体２６の軸受孔部３２に挿入される。次に、合わせ部３０の凸部と合わせ部３４の凹部とが互いに合わせられ、合わせ部３０の凹部と合わせ部３４の凸部とが互いに合わせられ、合わせ部３０；３４が互いに接着剤で結合される。このように、反射体９の装着された表示軸１２が２つの半球体２５；２６の内部に配置された後、２つの半球体２５；２６が単一体として組み合わせられることによって、回転表示構造体３が中空な球体形状に構成される。
【００１２】
図７を参照し、図柄表示体６の構造について説明する。図柄表示体６は、表示シートと乳白色の基層と、種類の異なる複数の図柄とを備える。表示シートは、熱収縮および光を透過する性質の有る無色の合成樹脂により構成される。基層が、表示シートの裏面に設けられる。複数の図柄が、基層の裏面に、白色以外の色で表示される。基層および図柄は図柄表示体６の裏面に印刷される。複数の図柄は、例えば、「３」、「４」、「５」、「６」、「７」、「８」である。「３」、「５」、「７」が赤色である。「４」、「６」、「８」が青色である。基層および図柄が外側となるように、図柄表示体６が筒状に形成される。図柄表示体６が筒状に形成された場合、複数の図柄は図柄表示体６の周方向に一列に配置された縦列形態となる。筒状に形成された図柄表示体６が表示軸１２の一端部の方向から回転表示構造体３の外面に被られる。基層が表示シートの表面に設けられ、図柄が基層の表面に設けられてもよいが、基層が表示シートの裏面に設けられ、図柄が基層の裏面に設けられれば、図柄表示体６が２つの半球体２５；２６からなる回転表示構造体３の外面に取り付けられた場合において、図柄が表示シートと回転表示構造体３との間に挟まれ、人が図柄に触れることできないようになるので、図柄の耐久性が向上する。
【００１３】
図８を参照し、図柄表示体６の回転表示構造体３への組立方について説明する。筒状に形成された図柄表示体６が回転表示構造体３に被られた後、図柄表示体６に熱が外側から与えられ、図柄表示体６が熱収縮して、図柄表示体６が回転表示構造体３の外側面に一体に設けられる。このように図柄表示体６が回転表示構造体３の外側面に一体に設けられた場合、複数の図柄は回転表示構造体３の矢印Ｗ１で示す自転する方向に離れて縦列に配置される。図柄表示体６が回転表示構造体３に組み立てられた場合、平坦部２７と図柄表示体６との間の隙間Ｓ３は光導入部３５を構成し、平坦部３１と図柄表示体６との間の隙間Ｓ４は光導入部３６を構成する。隙間Ｓ３および隙間Ｓ４は、同一寸法になっている。光導入部３５；３６は、図４の表示灯８から放出された光を回転表示構造体３の外部から内部に導入する。平坦部２７；３１は、回転表示構造体３の回転駆動機構による回転の中心を構成する表示軸１２の設けられる部分である。
【００１４】
図９を参照し、遊星歯車１３を回転表示構造体３に取り付ける構造について説明する。遊星歯車１３には、軸挿入孔部３８、軸受収容部３９、係合部４０、受止部４１、残渣孔４２が設けられる。軸挿入孔部３８は、図１０の表示軸１２を挿入する孔であって、遊星歯車１３の中心部に設けられる。軸受収容部３９は、図１１の軸受５１を挿入する孔であって、遊星歯車１３の中心部に設けられる。遊星歯車１３に対し、軸挿入孔部３８が内側に配置され、軸受収容部３９が外側に配置される。軸挿入孔部３８の直径は、軸受収容部３９の直径よりも小さい。軸挿入孔部３８および軸受収容部３９は、中心線Ｌ１を同軸とし、互いに貫通する。係合部４０は、遊星歯車１３の直径線上で相対峙する一対であって、遊星歯車１３における回転表示構造体３の側に位置する面から回転表示構造体３の側に突出する弾性片の先端にフックを有する形態である。受止部４１は、軸挿入孔部３８と係合部４０との間に位置し、遊星歯車１３における回転表示構造体３の側に位置する内面から回転表示構造体３の側に突出する円形な壁である。残渣孔４２は、軸挿入孔部３８と係合部４０および受止部４１を備えた形態として、遊星歯車１３を合成樹脂で形成する成形型において、係合部４０における弾性片にフックを設けるための型要素が抜き取られた跡として形成された孔である。
【００１５】
そして、係合部４０が回転表示構造体３の側に向けられて歯車係合部２９に挿入されるのに伴い、軸挿入孔部３８が軸受孔部２８の内側に取り込まれ、受止部４１が軸受孔部２８の外側に配置され、係合部４０のフックが歯車係合部２９を回転表示構造体３の内部の方向に通過すると、係合部４０の弾性片が外側に弾性的に広がり、係合部４０のフックが平坦部２７の内面と対向し、受止部４１が平坦部２７の外面に接触する。これによって、平坦部２７が係合部４０のフックと受止部４１とで挟まれ、遊星歯車１３が回転表示構造体３に固定的に取り付けられる。このため、遊星歯車１３を回転表示構造体３に容易に取り付けたり、遊星歯車１３を回転表示構造体３から容易に取り外したりすることができる。遊星歯車１３が回転表示構造体３に取り付けられた形態は、図２参照。
【００１６】
図１０を参照し、反射体９を表示軸１２に取り付ける構造について説明する。反射体９は、円錐形であって、円錐状の反射面４３を有し、裏側から前側に突出する。反射体９の内部には、軸取付部４４が、反射体９の頂上部から底部の側への窪みとして設けられる。軸取付部４４の底部には、ねじ締結孔４５が底部から上内部への窪みとして設けられる。反射面４３の周縁部には、軸収容部４６が、反射体９の底部の側に位置して設けられる。軸収容部４６は、反射体９の底部から頂上部の側に窪み、反射体９の底部の側と横方向とに開口する溝を囲む形状である。表示軸１２は、ねじ挿入孔４７および回転阻止部４８を備える。ねじ挿入孔４７は、表示軸１２における中心線Ｌ１の延びる方向の中心部に、前後方向への貫通孔として設けられる。回転阻止部４８は、表示軸１２の一端部に、表示軸１２の外周面の一部が平坦面として形成された異形である。
【００１７】
そして、軸収容部４６の底部側の開口が表示軸１２の側に向けられ、ねじ締結孔４５とねじ挿入孔４７とが互いに前後方向で対向し、表示軸１２の中心線Ｌ１の延びる方向が軸収容部４６にわたって取り込まれ、タッピングスクリューのような止ねじ４９が反射体９の底部の側から表示軸１２のねじ挿入孔４７を経由して反射体９のねじ締結孔４５に締結されることによって、表示軸１２の外周面が軸取付部４４の裏面や軸収容部４６の内周面に接触し、表示軸１２と反射体９とが互いに一体となる。表示軸１２と反射体９とが互いに一体になった場合、表示軸１２が軸収容部４６に取り込まれているので、反射体９の姿勢が安定する。表示軸１２と反射体９とが互いに一体になった形態は、図８参照。
【００１８】
図１１を参照し、回転表示構造体３を支持構造体１４に軸受５１；５２および支持駒５３；５４で取り付ける構造について説明する。軸受５１；５２は、同じ構造のボールベアリングにより構成される。支持駒５３は、回転表示構造体３から外側に突出した表示軸１２を支持構造体１４の腕部１６に回転しないように固定的に取り付けるものであって、回転阻止孔５５、円筒部５６、軸受収容部５７、第１隔壁５８、第２隔壁５９、係合部６０を備える。回転阻止孔５５は、表示軸１２の回転阻止部４８を嵌め込む異形孔として、支持駒５３の中心部に設けられる。円筒部５６は、支持駒５３の中心部に、支持駒５３から支持構造体１４の側である内側に突出して設けられる。軸受収容部５７は、円筒部５６の中心部に設けられた孔として構成される。支持駒５３に対し、回転阻止孔５５が外側に配置され、軸受収容部５７が内側に配置される。回転阻止孔５５および軸受収容部５７は同軸であって、互いに貫通する。第１隔壁５８は、円筒部５６の中心線Ｌ１（図４参照）と同じ方向における内側部から径方向外側に突出する。第２隔壁５９は、円筒部５６の内側部から径方向外側に突出する。第１隔壁５８と第２隔壁５９とが円筒部５６の直径線上に位置するように、第１隔壁５８が円筒部５６から突出する位置と、第２隔壁５９が円筒部５６から突出する位置とは、互いに異なる。係合部６０は、縦壁６６、連結壁６７、弾性片６８、フック６９を備える。縦壁６６は、第１隔壁５８と左右方向としての横方向で相対峙するように支持駒５３から径方向外側に突出する。連結壁６７は、縦壁６６の突端を第１隔壁５８の突端につなぐ。弾性片６８は、連結壁６７から支持駒５３の左右方向としての横方向と直交する一方向に直線的に突出する。フック６９は、弾性片６８の突端から円筒部５６の側に突出して設けられる。
【００１９】
支持駒５４は、回転表示構造体３から外側に突出した表示軸１２を支持構造体１４の腕部１７に取り付けるものであって、円筒部６１、軸受収容部６２、第１隔壁６３、第２隔壁６４、係合部６５を備える。円筒部６１は、支持駒５４の中心部に、支持駒５４から支持構造体１４の側である内側に突出して設けられる。軸受収容部６２は、円筒部６１の中心部に、左右方向としての横方向への貫通孔として設けられる。第１隔壁６３は、円筒部６１の中心線Ｌ１（図４参照）と同じ方向における内側部から径方向外側に突出する。第２隔壁６４は、円筒部６１の内側部から径方向外側に突出する。第１隔壁６３と第２隔壁６４とが円筒部６１の直径線上に位置するように、第１隔壁６３が円筒部６１から突出する位置と、第２隔壁６４が円筒部６１から突出する位置とは、互いに異なる。係合部６５は、縦壁７０、連結壁７１、弾性片７２、フック７３を備える。縦壁７０は、第１隔壁６３と左右方向としての横方向で相対峙するように支持駒５４から径方向外側に突出する。連結壁７１は、縦壁の突端を第１隔壁６３の突端につなぐ。弾性片７２は、連結壁から支持駒５４の左右方向としての横方向と直交する一方向に直線的に突出する。フック７３は、弾性片の突端に円筒部５６の側に突出して設けられる。
【００２０】
支持構造体１４の腕部１６には、駒収容部７５、割目７６、逃避部７７、係合部７８が設けられる。駒収容部７５は、腕部１６に、左右方向としての横方向への貫通孔として設けられる。駒収容部７５を囲む腕部１６の回転表示構造体３の側における前部は、駒収容部７５の中心を中心とする円弧状である。割目７６は、支持駒５３の第１隔壁５８を挿入するために腕部１６の前部に設けられ、腕部１６の外側と駒収容部７５とに到達し、横方向および前後方向に開口し、腕部１６の前部を分断する。逃避部７７は、支持駒５３の第２隔壁５９を挿入するために腕部１６の後部に設けられ、駒収容部７５から腕部１６に窪む凹状であって、横方向および前後方向に開口する。係合部７８は、支持駒５３のフック６９を係合するものであって、割目７６で分断された腕部１６の一方に設けられ、腕部１６における前部と後部との境目から径方向外側に突出する。
【００２１】
支持構造体１４の腕部１７には、駒収容部７９、割目８０、逃避部８１、係合部８２が設けられる。駒収容部７９は、腕部１７に、左右方向としての横方向への貫通孔として設けられる。駒収容部７９を囲む腕部１７の回転表示構造体３の側における前部は、駒収容部７９の中心を中心とする円弧状である。割目８０は、支持駒５４の第１隔壁６３を挿入するために腕部１７の前部に設けられ、腕部１７の外側と駒収容部７９とに到達し、横方向および前後方向に開口し、腕部１７の前部を分断する。逃避部８１は、支持駒５４の第２隔壁６４を挿入するために腕部１７の後部に設けられ、駒収容部７９から腕部１７に窪む凹状であって、横方向および前後方向に開口する。係合部８２は、支持駒５４のフック７３を係合するものであって、割目８０で分断された腕部１７の一方に設けられ、腕部１７における前部と後部との境目から径方向外側に突出する。
【００２２】
回転表示構造体３を支持構造体１４に取り付けるには、軸受５１が遊星歯車１３の外側から軸受収容部３９に挿入され、軸受５２が回転表示構造体３の外側から軸受収容部３３に挿入され、回転表示構造体３が支持構造体１４の前側から支持基盤１５で囲まれた前側に開口した空間に挿入され、表示軸１２における回転表示構造体３の横方向に突出した両端部が駒収容部７５；７９に配置される。その場合、表示軸１２が作業者によって一端部の側から他端部の側に移動された後に腕部１６の内側から駒収容部７５に挿入され、表示軸１２が作業者によって他端部の側から一端部の側に移動された後に腕部１７の内側から駒収容部７９に挿入される。
【００２３】
次に、支持駒５３の円筒部５６が回転表示構造体３の外側から駒収容部７５に挿入され、支持駒５３の第１隔壁５８が回転表示構造体３の外側から割目７６を貫通して腕部１６よりも内側に配置され、支持駒５３の第２隔壁５９が回転表示構造体３の外側から逃避部７７を貫通して腕部１６よりも内側に配置される。これに伴い、表示軸１２の回転阻止部４８が支持駒５３の軸受収容部５７を支持駒５３の回転阻止孔５５に嵌め込まれ、円筒部５６が軸受５１のインナーリングに接触し、支持駒５３が表示軸１２に周方向に回転しないように固定される（図１２のａ図参照）。そして、フック６９が係合部７８の側に近づくように、支持駒５３が回転操作されるのに伴い、表示軸１２が支持駒５３と一緒に回転し、円筒部５６が駒収容部７５を中心として回転し、支持駒５３の係合部６０が支持構造体１４の係合部７８に係合し、支持駒５３が図１２のｂ図に示すように腕部１６に固定される（図１２のｂ図参照）。
【００２４】
支持駒５４の円筒部６１が回転表示構造体３の外側から駒収容部７９に挿入されるのに伴い、表示軸１２の他端部が支持駒５４の軸受収容部６２に嵌め込まれ、円筒部６１が軸受５２のインナーリングに接触し、支持駒５４が表示軸１２に周方向に回転可能に装着される。そして、フック７３が係合部８２の側に近づくように、支持駒５４が回転操作されるのに伴い、円筒部６１が駒収容部７９を中心として回転し、支持駒５４の係合部６５が支持構造体１４の係合部８２に係合し、支持駒５４が腕部１７に固定される。このように、支持駒５３が腕部１６に固定され、支持駒５４が腕部１７に固定されることによって、反射体９が図２に示す形態に固定的に支持される。
【００２５】
図１３を参照し、表示灯構造体７の構造について説明する。表示灯構造体７は、表示灯８、表示後基盤８４、表示中基盤８５、表示前基盤８６、レンズ８７、回路基板８８を備える。表示灯８は、回路基板８８に実装されたＬＥＤにより構成される。表示灯８が表示後基盤８４に形成された貫通孔９９（図２参照）を表示後基盤８４の外側から内側に貫通し、回路基板８８が表示後基盤８４の外面に止ねじ１００（図２参照）で取り付けられる。最良の形態の場合、表示灯８は、６個であって、表示後基盤８４を前側から見た場合、表示後基盤８４を周方向に六等分に分けられる位置ごとに１個ずつ配置される。
【００２６】
表示後基盤８４は、光を遮断する性質の有る有色の合成樹脂により、図４の回転表示構造体３および支持構造体１４を収納可能な空間を囲む筒状に構成される。表示後基盤８４の内面は、表示後基盤８４の素材である合成樹脂に拡散材を混ぜたり、表示後基盤８４の内面に塗装またはメッキによる反射層を形成したりすることによって、光反射面として構成される。表示後基盤８４の後部には、取付部８９が設けられる。取付部８９は、表示後基盤８４から内部に突出する。取付部８９には、ねじ結合孔９０が前後方向への貫通孔として設けられる。表示中基盤８５は、光を遮断する性質の有る有色の合成樹脂により、表示後基盤８４と同径の筒状に構成される。表示中基盤８５の内面は、表示中基盤８５の素材である合成樹脂に拡散材を混ぜたり、表示中基盤８５の内面に塗装またはメッキによる反射層を形成したりすることによって、光反射面として構成される。表示中基盤８５の前部には、フランジ９１が設けられる。フランジ９１の内径は、表示中基盤８５の内径よりも小さい。フランジ９１の外径は、表示中基盤８５の外径よりも大きい。よって、フランジ９１は、表示中基盤８５から内側および外側に突出した環状である。フランジ９１には、内側のねじ挿入孔９２および外側の取付孔９３が、前後方向への貫通孔として設けられる。表示前基盤８６は、光を遮断する性質の有る有色の合成樹脂により、表示中基盤８５の内径と同一の内径を有する筒状に構成される。表示前基盤８６の裏面には、ねじ結合孔９４が、表示前基盤８６の裏面から内部への窪みとして設けられる。レンズ８７は、光を透過する性質の有る無色の合成樹脂により、裏側から前側に突出する半球形に形成される。レンズ８７の前部には、円筒隔壁９５が設けられる。円筒隔壁９５は、レンズ８７の前部から前側に突出する。円筒隔壁９５の前部には、フランジ９６が設けられる。フランジ９６には、ねじ挿入孔９７が、前後方向への貫通孔として設けられる。
【００２７】
そして、レンズ８７のフランジ９６が表示中基盤８５の裏側から内部に挿入され、表示前基盤８６が表示中基盤８５の前側からフランジ９１に重ね合わされ、タッピングスクリューのような止ねじ９８がねじ挿入孔９７；９２を経由してねじ結合孔９４に締結されることによって、表示中基盤８５のフランジ９１がレンズ８７と表示前基盤８６との間に挟まれ、表示中基盤８５と表示前基盤８６およびレンズ８７が互いに一体に組み立てられる。また、表示中基盤８５の後部と表示後基盤８４の前部とが互いに重ね合わされて接着剤で結合される。これによって、表示灯構造体７が図４に示す形態に構成される。
【００２８】
図４において、回転表示構造体３の組み立てられた支持構造体１４の支持軸１８が装置躯体２の前側から軸受孔部１１に挿入され、回転表示構造体３および支持構造体１４が表示灯構造体７の内部に取り込まれるように、表示灯構造体７が回転表示構造体３の前側から装置躯体２に被せられ、タッピングスクリューのような止ねじ１０１が装置躯体２の裏側から装置躯体２に形成されたねじ挿入孔１０２を経由して表示灯構造体７のねじ結合孔９０に締結されることによって、遊技回転表示装置１が図１乃至図３に示す形態に構成される。
【００２９】
図２および図３を参照し、自転駆動機構４の構造、公転駆動機構５の構造、遊技回転表示装置１がパチンコ機における遊技盤１２０に取り付けられた構造について説明する。自転駆動機構４は、自転モータ１０５、自転駆動輪体１０６、自転従動輪体１０７、自転ベルト１０８を備える。自転モータ１０５は、ステップモータにより構成され、自転モータ１０５の出力軸を構成する自転モータ軸１０９が装置躯体２から裏側に向けられ、自転モータ１０５のモータケースが装置躯体２の裏側からモータ収納室１１０に収納されて装置躯体２に固定的に取り付けられる。自転駆動輪体１０６の中心部が、自転モータ軸１０９に嵌め込まれて固定的に取り付けられる。自転従動輪体１０７の中心部が、装置躯体２から裏側に突出した太陽軸２１に嵌め込まれて固定的に取り付けられる。自転ベルト１０８が、自転駆動輪体１０６および自転従動輪体１０７に掛け渡される。そして、自転モータ軸１０９が回転駆動することによって、自転駆動輪体１０６、自転ベルト１０８、自転従動輪体１０７、太陽歯車１９、中間歯車２０、遊星歯車１３が回転し、回転表示構造体３が矢印Ｗ１で示す方向に自転する。自転駆動機構４は、自転モータ１０５、自転駆動輪体１０６、自転従動輪体１０７、自転ベルト１０８、太陽歯車１９、中間歯車２０、遊星歯車１３により構成される。
【００３０】
公転駆動機構５は、公転モータ１１２、公転駆動輪体１１３、公転従動輪体１１４、公転ベルト１１５を備える。公転モータ１１２は、ステップモータにより構成され、公転モータ１１２の出力軸を構成する公転モータ軸１１６が装置躯体２から裏側に向けられ、公転モータ１１２のモータケースが装置躯体２の裏側からモータ収納室１１７に収納されて装置躯体２に固定的に取り付けられる。公転駆動輪体１１３の中心部が、公転モータ軸１１６に嵌め込まれて固定的に取り付けられる。公転従動輪体１１４の中心部が、装置躯体２から裏側に突出した支持軸１８に嵌め込まれて固定的に取り付けられる。公転ベルト１１５が、公転駆動輪体１１３および公転従動輪体１１４に掛け渡される。そして、公転モータ軸１１６が回転駆動することによって、公転駆動輪体１１３、公転ベルト１１５、公転従動輪体１１４、支持構造体１４が回転し、回転表示構造体３が矢印Ｗ２で示す方向に公転する。公転駆動機構５は、公転モータ１１２、公転駆動輪体１１３、公転ベルト１１５、公転従動輪体１１４、支持構造体１４により構成される。
【００３１】
遊技回転表示装置１が遊技盤１２０に取り付けられた構造について説明する。最良の形態では、遊技回転表示装置１において、装置躯体２が表示灯構造体７から取り外された状態において、表示後基盤８４が遊技盤１２０の前側から遊技盤１２０に形成された回転表示逃避孔１２１に接触しないように挿入され、フランジ９１が遊技盤１２０の前面に接触され、木ねじのような止ねじ１２２がフランジ９１の前側から取付孔９３（図４参照）を貫通して遊技盤１２０に締結され、表示灯構造体７が遊技盤１２０に取り付けられる。これによって、表示前基盤８６が遊技盤１２０の前面よりも前側に突出し、レンズ８７が回転表示構造体３の前側に離れて配置され、レンズ８７が図柄表示体６から前側に平行に離れて配置される。遊技盤１２０の前面には、図示は省略するが、入賞部品、多数の遊技釘、飾り部品などの遊技部品が取り付けられる。
【００３２】
そして、遊技盤１２０がパチンコ店の島と呼ばれる遊技機設置構造体に取り付けられる図外の遊技機枠に取り付けられ、遊技機枠におけるパネル枠と呼ばれる前扉が閉じられることによって、前扉における前後方向への貫通孔としての窓を覆うガラスのような光を透過する性質の有る無色の前面パネル１２３が遊技盤１２０の前面の前側に配置される。前面パネル１２３は、遊技盤１２０の前面および表示前基盤８６から離れている。そして、前面パネル１２３と遊技盤１２０の前面との間に形成された空間１２４は、遊技者が入賞部品に入賞させようとして発射したパチンコ球と呼ばれる球１２５が遊技盤１２０の前面に沿って上方から下方に流れる領域を構成する。前面パネル１２３と表示前基盤８６との隙間１２６は、球１２５が通過できない寸法である。よって、空間１２４を流下する球１２５は、表示前基盤８６で遮られてレンズ８７の前面に到達しない。
【００３３】
前記のように表示灯構造体７が遊技盤１２０に取り付けられた後、自転駆動機構４および公転駆動機構５の組み立てられた装置躯体２が遊技盤１２０の裏側から表示灯構造体７に取り付けられる。それには、表示体収容部１０が遊技盤１２０の側に向けられ表示灯構造体７の裏側に被され、支持軸１８が軸受孔部１１を経由して公転従動輪体１１４の中心部に一緒に回転するように固定的に装着され、太陽軸２１が自転従動輪体１０７の中心部に止ねじ１２７で一緒に回転するように固定的に装着され、止ねじ１０１が装置躯体２の裏側からねじ挿入孔１０２（図４参照）を経由して取付部８９のねじ結合孔９０（図４参照）に締結され、装置躯体２が表示灯構造体７に取り付けられる。
【００３４】
以上のように遊技回転表示装置１が遊技盤１２０に取り付けられた状態において、自転モータ１０５が電力で駆動すると、自転モータ１０５の動力が自転モータ軸１０９から自転駆動輪体１０６、自転ベルト１０８、自転従動輪体１０７、太陽歯車１９、中間歯車２０、遊星歯車１３を経由して回転表示構造体３に伝達され、回転表示構造体３が表示軸１２を中心として矢印Ｗ１で示す方向に自転する。公転モータ１１２が電力で駆動すると、公転モータ１１２の動力が公転モータ軸１１６から公転駆動輪体１１３、公転ベルト１１５、公転従動輪体１１４を経由して支持構造体１４に伝達され、回転表示構造体３が支持軸１８を中心として矢印Ｗ２で示す方向に公転する。図３に示すように、表示灯８から放出された照射光Ｘ１は、回転表示構造体３の外部から光導入部３５；３６を経由して回転表示構造体３の内部に進入し反射体９の反射面４３で反射する。この反射面４３で反射した反射光Ｘ２は、中心線Ｌ２と平行して前側に進み、回転表示構造体３を経由して図柄表示体６を回転表示構造体３の内部から照明する。反射体９が円錐状の反射面４３を有する円錐形に構成されているので、反射体９を角錐形に構成した場合よりも、図柄表示体６を一様に照明するように、反射体９を容易に形成することができるという利点がある。
【００３５】
図１を参照し、表示灯８から放出された照射光Ｘ１が図柄表示体６を回転表示構造体３の内部から照明する構造について説明する。４つの表示灯８が表示軸１２の中心線Ｌ１と支持構造体１４の周方向に３０度の角度ごとに配置されるように、回転表示構造体３が公転駆動機構５によって停止され、回転表示構造体３が自転駆動機構４による自転を行う状態において、上記４つの表示灯８が電力で点灯すると、４つの表示灯８から放出された照射光Ｘ１は、光導入部３５；３６を経由して回転表示構造体３の内部に進入し反射体９における上記４つの表示灯８に対応する反射面４３で個別に前側に向けて反射する。このため、４つの反射面４３で反射された反射光Ｘ２が、回転表示構造体３を内部から透過しつつ回転表示構造体３の内部で拡散して図柄表示体６を照明する。よって、回転表示構造体３および図柄表示体６が全体的に明るくかつ鮮明に照明され、図柄表示体６に表示された複数の図柄が見やすいという利点がある。
【００３６】
前記のように４つの表示灯８が表示軸１２の中心線Ｌ１と支持構造体１４の周方向に３０度の角度ごとに配置されるように、回転表示構造体３が公転駆動機構５による公転を停止され、回転表示構造体３が自転駆動機構４による自転を行う状態においては、中心線Ｌ１と平面内で直交する中心線Ｌ３に配置された２つの表示灯８から放出された光は、回転表示構造体３の外部から光導入部３５；３６を経由して回転表示構造体３の内部に進入することができないので、中心線Ｌ３に配置された２つの表示灯８は消灯されている。これに対し、回転表示構造体３が自転駆動機構４による自転を停止され、回転表示構造体３が公転駆動機構５による公転を行う場合、６個の表示灯８の全部が光導入部３５；３６に位置に応じて公転の方向に順に点灯することによって、４個ずつの表示灯８からの照射光が回転表示構造体３の外部から光導入部３５；３６を経由して回転表示構造体３の内部に導入され、図柄表示体６が回転表示構造体３の内部の反射体９からの反射光で全体的に明るくかつ鮮明に照明される。
【００３７】
図２および図３に示すように、レンズ８７の周囲が光を遮断する性質の有る有色の合成樹脂からなる表示中基盤８５や光を遮断する性質の有る有色の合成樹脂からなる表示前基盤８６で覆われているので、遊技回転表示装置１が図２に示すように遊技盤１２０に取り付けられた状態において、遊技者が遊技回転表示装置１を前側から見た場合、表示灯８が表示中基盤８５や表示前基盤８６で隠れて見えないという利点がある。
【産業上の利用可能性】
【００３８】
自転従動輪体１０７には図外の自転位置検体が一体に設けられる。自転位置検体は、自転従動輪体１０７から径方向の外側に突出した円板状であって、図外の自転位置検出器や図外の自転原点位置検出器に対する複数のスリットを周方向の等分位置に有する。公転従動輪体１１４には図外の公転位置検体が一体に設けられる。公転位置検体は、公転従動輪体１１４から径方向の外側に突出した円板状であって、図外の公転位置検出器や図外の公転原点位置検出器に対する複数のスリットを周方向の等分位置に有する。自転位置検出器、自転原点位置検出器、公転位置検出器、公転原点位置検出器は、装置躯体２に取り付けられる。自転位置検出器、自転原点位置検出器、公転位置検出器、公転原点位置検出器は、発光素子からの検出光を受光素子で受け取る、光透過非接触形の検出器により構成される。
【００３９】
自転駆動輪体１０６、自転従動輪体１０７、自転ベルト１０８を別々の平歯車からなる歯車列で構成してもよい。この場合、自転駆動輪体１０６は自転駆動歯車と概念され、自転従動輪体１０７は自転従動歯車と概念され、自転ベルト１０８は自転駆動歯車および自転従動歯車に噛み合う自転中間歯車と概念される。公転駆動輪体１１３、公転従動輪体１１４、公転ベルト１１５を別々の平歯車からなる歯車列で構成してもよい。この場合、公転駆動輪体１１３は公転駆動歯車と概念され、公転従動輪体１１４は公転従動歯車と概念され、公転ベルト１１５は公転駆動歯車および公転従動歯車に噛み合う公転中間歯車と概念される。
【図面の簡単な説明】
【００４０】
【図１】ａ図は遊技回転表示装置の横断面図、ｂ図はＢ−Ｂ線断面図（最良の形態）。
【図２】遊技回転表示装置の遊技盤に取り付けた表示軸と平行な方向の縦断面図（最良の形態）。
【図３】遊技回転表示装置の遊技盤に取り付けた表示軸と直交する方向の縦断面図（最良の形態）。
【図４】遊技回転表示装置の分解斜視図（最良の形態）。
【図５】回転表示構造体の分解した断面図（最良の形態）。
【図６】回転表示構造体の組立過程の断面図（最良の形態）。
【図７】回転表示構造体と図柄表示体との組立初期の断面図（最良の形態）。
【図８】回転表示構造体と図柄表示体との組立終期の断面図（最良の形態）。
【図９】回転表示構造体と遊星歯車との分解斜視図（最良の形態）。
【図１０】表示軸と反射体との分解斜視図（最良の形態）。
【図１１】ａ図は回転表示構造体と支持構造体との分解斜視図、ｂ図は支持駒を内側から示す斜視図（最良の形態）。
【図１２】ａ図は支持駒を腕部に挿入した側面図、ｂ図は支持駒を腕部に係合した側面図（最良の形態）。
【図１３】表示灯構造体の分解斜視図（最良の形態）。
【符号の説明】
【００４１】
１    遊技回転表示装置
３    回転表示構造体
４    自転駆動機構
５    公転駆動機構
６    図柄表示体
７    表示灯構造体
８    表示灯
９    反射体
１２  表示軸
３５  光導入部
３６  光導入部
【図１】
0004828224.tif 000002
【図２】
0004828224.tif 000003
【図３】
0004828224.tif 000004
【図４】
0004828224.tif 000005
【図５】
0004828224.tif 000006
【図６】
0004828224.tif 000007
【図７】
0004828224.tif 000008
【図８】
0004828224.tif 000009
【図９】
0004828224.tif 000010
【図１０】
0004828224.tif 000011
【図１１】
0004828224.tif 000012
【図１２】
0004828224.tif 000013
【図１３】
0004828224.tif 000014